(57)【要約】【課題】ユーザーが必要とする履歴情報が削除されるのを抑制することによりユーザーの利便性を向上させる。【解決手段】通信装置は、着信の相手先との間で通信を行う通信部と、着信に関する履歴を示す情報である履歴情報を保存する記憶部と、履歴情報の管理に関する設定である履歴管理設定を受け付ける受付部と、記憶部への履歴情報の保存および記憶部からの履歴情報の削除を行う制御部と、を備え、受付部は、保存を優先する履歴情報の種類の設定である優先保存設定を履歴管理設定として受け付け、制御部は、記憶部に保存されている履歴情報のうち優先保存設定で設定された種類の履歴情報の保存を優先する。【選択図】図２
2019029924.tif 000002
【特許請求の範囲】
【請求項１】
着信の相手先との間で通信を行う通信部と、
着信に関する履歴を示す情報である履歴情報を保存する記憶部と、
前記履歴情報の管理に関する設定である履歴管理設定を受け付ける受付部と、
前記記憶部への前記履歴情報の保存および前記記憶部からの前記履歴情報の削除を行う制御部と、を備え、
前記受付部は、保存を優先する前記履歴情報の種類の設定である優先保存設定を前記履歴管理設定として受け付け、
前記制御部は、前記記憶部に保存されている前記履歴情報のうち前記優先保存設定で設定された種類の前記履歴情報の保存を優先することを特徴とする通信装置。
【請求項２】
前記受付部は、ファクシミリ通信の着信に関する前記履歴情報であるファクシミリ履歴情報および通話の着信に関する前記履歴情報である通話履歴情報のいずれの保存を優先するかの設定を前記優先保存設定として受け付け、
前記制御部は、前記履歴情報の保存数が上限数に達している状態で新規の着信があったとき、前記ファクシミリ履歴情報の保存を優先する旨の設定がなされていれば、前記通話履歴情報のいずれかを削除して前記新規の着信に関する前記履歴情報を前記記憶部に保存し、前記通話履歴情報の保存を優先する旨の設定がなされていれば、前記ファクシミリ履歴情報のいずれかを削除して前記新規の着信に関する前記履歴情報を前記記憶部に保存することを特徴とする請求項１に記載の通信装置。
【請求項３】
前記通信部は、前記相手先から、相手先番号である前記相手先の電話番号またはファクシミリ番号を受信し、
前記制御部は、前記履歴情報に、前記相手先番号を示す番号情報を含め、
前記受付部は、優先番号および前記優先番号の優先順位の設定を前記優先保存設定として受け付け、
前記制御部は、前記履歴情報の保存数が上限数に達している状態で新規の着信があったとき、前記番号情報に前記優先番号が含まれていない前記履歴情報のいずれかを削除して前記新規の着信に関する前記履歴情報を前記記憶部に保存する、または、前記番号情報に前記優先番号が含まれている前記履歴情報のうち前記優先順位が最も低い前記優先番号が前記番号情報に含まれている前記履歴情報のいずれかを削除して前記新規の着信に関する前記履歴情報を前記記憶部に保存することを特徴とする請求項１または２に記載の通信装置。
【請求項４】
ファクシミリ通信の着信があった場合に前記相手先からのファクシミリデータに基づき出力処理を行う出力部を備え、
前記制御部は、前記相手先からのファクシミリデータに基づく前記出力処理が完了していない場合、前記ファクシミリ通信の着信に関する前記履歴情報であるファクシミリ履歴情報に、前記出力処理が完了していないことを示す未出力情報を含め、
前記受付部は、前記未出力情報を含む前記ファクシミリ履歴情報の保存を優先するか否かの設定を前記優先保存設定として受け付け、
前記制御部は、前記履歴情報の保存数が上限数に達している状態で新規の着信があったとき、前記未出力情報を含む前記ファクシミリ履歴情報の保存を優先する旨の設定がなされていれば、前記未出力情報を含まない前記履歴情報のいずれかを削除して前記新規の着信に関する前記履歴情報を前記記憶部に保存することを特徴とする請求項１〜３のいずれか１項に記載の通信装置。
【請求項５】
ファクシミリ通信の着信があった場合に前記相手先からのファクシミリデータに基づき出力処理を行う出力部を備え、
前記制御部は、前記相手先から送信されるファクシミリデータの送信時に通信エラーが発生した場合、前記ファクシミリ通信の着信に関する前記履歴情報であるファクシミリ履歴情報に、前記通信エラーが発生したことを示すエラー情報を含め、
前記受付部は、前記エラー情報を含む前記ファクシミリ履歴情報の保存を優先するか否かの設定を前記優先保存設定として受け付け、
前記制御部は、前記履歴情報の保存数が上限数に達している状態で新規の着信があったとき、前記エラー情報を含む前記ファクシミリ履歴情報の保存を優先する旨の設定がなされていれば、前記エラー情報を含まない前記履歴情報のいずれかを削除して前記新規の着信に関する前記履歴情報を前記記憶部に保存することを特徴とする請求項１〜４のいずれか１項に記載の通信装置。
【請求項６】
前記通信部は、ポーリング送信要求の着信があった場合に前記相手先にファクシミリデータを送信するポーリング送信を行い、
前記受付部は、前記ポーリング送信要求の着信に関する前記履歴情報であるポーリング履歴情報および前記ポーリング履歴情報以外の前記履歴情報のいずれの保存を優先するかの設定を前記優先保存設定として受け付け、
前記制御部は、前記履歴情報の保存数が上限数に達している状態で前記新規の着信があったとき、前記ポーリング履歴情報の保存を優先する旨の設定がなされていれば、前記ポーリング履歴情報以外の前記履歴情報のいずれかを削除して前記新規の着信に関する前記履歴情報を前記記憶部に保存し、前記ポーリング履歴情報以外の前記履歴情報の保存を優先する旨の設定がなされていれば、前記ポーリング履歴情報のいずれかを削除して前記新規の着信に関する前記履歴情報を前記記憶部に保存することを特徴とする請求項１〜５のいずれか１項に記載の通信装置。
【請求項７】
ファクシミリ通信の着信があった場合に前記相手先からのファクシミリデータに基づき出力処理を行う出力部を備え、
前記記憶部は、予め登録された登録ページ数を記憶し、
前記制御部は、前記ファクシミリ通信の着信に関する前記履歴情報であるファクシミリ履歴情報に、前記出力部が出力したページ数を示すページ数情報を含め、
前記受付部は、前記ページ数情報で示されるページ数が前記登録ページ数を超える前記ファクシミリ履歴情報であるページ数超過履歴情報の保存を優先するか否かの設定を前記優先保存設定として受け付け、
前記制御部は、前記履歴情報の保存数が上限数に達している状態で新規の着信があったとき、前記ページ数超過履歴情報の保存を優先する旨の設定がなされていれば、前記ページ数超過履歴情報以外の前記履歴情報のいずれかを削除して前記新規の着信に関する前記履歴情報を前記記憶部に保存することを特徴とする請求項１〜６のいずれか１項に記載の通信装置。
【請求項８】
ファクシミリ通信の着信があった場合に前記相手先からのファクシミリデータに基づき出力処理を行う出力部を備え、
前記記憶部は、予め登録された登録キーワードを記憶し、
前記制御部は、前記相手先からのファクシミリデータに前記登録キーワードが存在するか否かの判断を行い、前記登録キーワードが存在する場合、前記ファクシミリ通信の着信に関する前記履歴情報であるファクシミリ履歴情報に、前記相手先からのファクシミリデータに存在する前記登録キーワードの内容を示すキーワード情報を含め、
前記受付部は、前記通信部が新規に受信したファクシミリデータに存在する前記登録キーワードと内容が同じ前記キーワード情報を含む既存の前記ファクシミリ履歴情報であるキーワード重複履歴情報を優先的に削除するか否かの設定である前記優先削除設定を前記履歴管理設定として受け付け、
前記制御部は、前記履歴情報の保存数が上限数に達している状態での新規の着信が前記ファクシミリ通信の着信であったとき、前記キーワード重複履歴情報を優先的に削除する旨の設定がなされており、かつ、前記記憶部に前記キーワード重複履歴情報が保存されていれば、前記キーワード重複履歴情報を削除して前記新規の着信に関する前記履歴情報を前記記憶部に保存することを特徴とする請求項１〜７のいずれか１項に記載の通信装置。
【請求項９】
前記受付部は、前記履歴情報として保存しない非保存履歴に関する設定である非保存設定を前記履歴管理設定として受け付け、
前記制御部は、前記非保存設定がなされた状態で、新規の着信があると、前記非保存設定で設定された設定内容に基づき、前記新規の着信に関する履歴を示す情報を保存すべきか否かの判断を行い、保存すべきと判断した場合、前記新規の着信に関する履歴を示す情報を前記履歴情報として前記記憶部に保存し、保存すべきでないと判断した場合、前記新規の着信に関する履歴を示す情報を保存しないことを特徴とする請求項１〜８のいずれか１項に記載の通信装置。
【請求項１０】
前記受付部は、ファクシミリ通信の着信に関する履歴および通話の着信に関する履歴のうち前記非保存履歴とする履歴の設定を前記非保存設定として受け付け、
前記制御部は、前記ファクシミリ通信の着信に関する履歴を前記非保存履歴とする旨の設定がなされている場合、前記ファクシミリ通信の着信に関する履歴を示す情報を保存せず、前記通話の着信に関する履歴を前記非保存履歴とする旨の設定がなされている場合、前記通話の着信に関する履歴を示す情報を保存しないことを特徴とする請求項９に記載の通信装置。
【請求項１１】
前記通信部は、前記相手先から、相手先番号である前記相手先の電話番号またはファクシミリ番号を受信し、
前記記憶部は、予め登録された拒否番号を記憶し、
前記受付部は、前記相手先番号に前記拒否番号を含む着信に関する履歴を前記非保存履歴とするか否かの設定を前記非保存設定として受け付け、
前記制御部は、前記相手先番号に前記拒否番号を含む着信に関する履歴を前記非保存履歴とする旨の設定がなされている場合、前記相手先番号に前記拒否番号を含む着信に関する履歴を示す情報を保存しないことを特徴とする請求項９または１０に記載の通信装置。
【請求項１２】
ファクシミリ通信の着信があった場合に前記相手先からのファクシミリデータに基づき出力処理を行う出力部を備え、
前記受付部は、前記出力部による前記出力処理が完了した前記ファクシミリ通信の着信に関する履歴を前記非保存履歴とするか否かの設定を前記非保存設定として受け付け、
前記制御部は、前記出力部による前記出力処理が完了した前記ファクシミリ通信の着信に関する履歴を前記非保存履歴とする旨の設定がなされている場合、前記出力部による前記出力処理が完了した前記ファクシミリ通信の着信に関する履歴を示す情報を保存しないことを特徴とする請求項９〜１１のいずれか１項に記載の通信装置。
【請求項１３】
前記受付部は、前記相手先から送信されるファクシミリデータの送信時に通信エラーが発生しなかったファクシミリ通信の着信に関する履歴を前記非保存履歴とするか否かの設定を前記非保存設定として受け付け、
前記制御部は、前記相手先から送信されるファクシミリデータの送信時に前記通信エラーが発生しなかった前記ファクシミリ通信の着信に関する履歴を前記非保存履歴とする旨の設定がなされている場合、前記相手先から送信されるファクシミリデータの送信時に前記通信エラーが発生しなかった前記ファクシミリ通信の着信に関する履歴を示す情報を保存しないことを特徴とする請求項９〜１２のいずれか１項に記載の通信装置。
【請求項１４】
ファクシミリ通信の着信があった場合に前記相手先からのファクシミリデータに基づき出力処理を行う出力部を備え、
前記記憶部は、予め登録された登録ページ数を記憶し、
前記受付部は、前記出力部が出力したページ数が前記登録ページ数以下の前記ファクシミリ通信の着信に関する履歴を前記非保存履歴とするか否かの設定を前記非保存設定として受け付け、
前記制御部は、前記出力部が出力したページ数が前記登録ページ数以下の前記ファクシミリ通信の着信に関する履歴を前記非保存履歴とする旨の設定がなされている場合、前記出力部が出力したページ数が前記登録ページ数以下の前記ファクシミリ通信の着信に関する履歴を示す情報を保存しないことを特徴とする請求項９〜１３のいずれか１項に記載の通信装置。
【請求項１５】
ファクシミリ通信の着信があった場合に前記相手先からのファクシミリデータに基づき出力処理を行う出力部を備え、
前記記憶部は、予め登録された登録キーワードを記憶し、
前記制御部は、前記相手先からのファクシミリデータに前記登録キーワードが存在するか否かの判断を行い、前記登録キーワードが存在する場合、前記ファクシミリ通信の着信に関する前記履歴情報であるファクシミリ履歴情報に、前記相手先からのファクシミリデータに存在する前記登録キーワードの内容を示すキーワード情報を含め、
前記制御部は、前記ファクシミリ通信の着信があり、かつ、前記相手先からのファクシミリデータに前記登録キーワードが存在するとき、前記相手先からのファクシミリデータに存在する前記登録キーワードと内容が同じ前記キーワード情報を含む前記ファクシミリ履歴情報であるキーワード重複履歴情報が前記記憶部に保存されていれば、前記キーワード重複履歴情報に含まれる前記キーワード情報と同じ内容の前記登録キーワードが存在する前記ファクシミリデータをキーワード重複ファクシミリデータと認識し、
前記受付部は、前記キーワード重複ファクシミリデータを送信した前記相手先からの前記ファクシミリ通信の着信に関する履歴を前記非保存履歴とするか否かの設定を前記非保存設定として受け付け、
前記制御部は、前記キーワード重複ファクシミリデータを送信した前記相手先からの前記ファクシミリ通信の着信に関する履歴を前記非保存履歴とする旨の設定がなされている場合、前記キーワード重複ファクシミリデータを送信した前記相手先からの前記ファクシミリ通信の着信に関する履歴を示す情報を保存しないことを特徴とする請求項９〜１４のいずれか１項に記載の通信装置。
【発明の詳細な説明】
【技術分野】
【０００１】
本発明は、着信の相手先との間で通信を行う通信装置に関する。
【背景技術】
【０００２】
従来、着信に関する履歴（着信履歴）を示す履歴情報を保存する機能が搭載された通信装置が知られている。このような通信装置は、たとえば、特許文献１に開示されている。
【０００３】
特許文献１の通信装置は、表示パネルを備える。そして、特許文献１の通信装置は、保存した履歴情報を表示パネルに表示する。これにより、ユーザーは着信履歴を確認することができる。
【先行技術文献】
【特許文献】
【０００４】
【特許文献１】特開２００９−８１８１４号公報
【発明の概要】
【発明が解決しようとする課題】
【０００５】
通常、履歴情報の保存数には上限がある。たとえば、履歴情報の保存数が上限数に達している状態で新規の着信があると、新規の着信に関する履歴情報を保存するため、最も古い履歴情報が削除される。
【０００６】
ここで、必要な履歴情報（残しておきたい履歴情報）はユーザーによって異なる。たとえば、最も古い履歴情報を残しておきたい場合がある。しかし、最も古い履歴情報を優先的に削除する構成では、履歴情報の保存数が上限数に達している状態で新規の着信があると、ユーザーが最古の履歴情報を必要としていても、最古の履歴情報が削除される。したがって、ユーザーにとっては利便性が悪い。
【０００７】
本発明は、上記課題を解決するためになされたものであり、ユーザーが必要とする履歴情報が削除されるのを抑制することによりユーザーの利便性を向上させることが可能な通信装置を提供することを目的とする。
【課題を解決するための手段】
【０００８】
上記目的を達成するため、本発明の通信装置は、着信の相手先との間で通信を行う通信部と、着信に関する履歴を示す情報である履歴情報を保存する記憶部と、履歴情報の管理に関する設定である履歴管理設定を受け付ける受付部と、記憶部への履歴情報の保存および記憶部からの履歴情報の削除を行う制御部と、を備える。受付部は、保存を優先する履歴情報の種類の設定である優先保存設定を履歴管理設定として受け付ける。制御部は、記憶部に保存されている履歴情報のうち優先保存設定で設定された種類の履歴情報の保存を優先する。
【０００９】
本発明の構成では、履歴管理設定を行うときに、ユーザーが必要とする履歴情報（残しておきたい履歴情報）の保存が優先されるよう設定しておけば、必要な履歴情報が削除され難くなる（必要な履歴情報以外の履歴情報が優先的に削除される）。これにより、ユーザーの利便性が向上する。
【発明の効果】
【００１０】
本発明の構成では、ユーザーが必要とする履歴情報が削除されるのを抑制することができるので、ユーザーの利便性が向上する。
【図面の簡単な説明】
【００１１】
【図１】本発明の一実施形態による通信装置の構成を示す図
【図２】本発明の一実施形態による通信装置の制御部により行われる第１優先保存処理の流れを示す図
【図３】本発明の一実施形態による通信装置の制御部により行われる第２優先保存処理の流れを示す図
【図４】本発明の一実施形態による通信装置の制御部により行われる第３優先保存処理の流れを示す図
【図５】本発明の一実施形態による通信装置の制御部により行われる第４優先保存処理の流れを示す図
【図６】本発明の一実施形態による通信装置の制御部により行われる第５優先保存処理の流れを示す図
【図７】本発明の一実施形態による通信装置の制御部により行われる第６優先保存処理の流れを示す図
【図８】本発明の一実施形態による通信装置の制御部により行われる優先削除処理の流れを示す図
【発明を実施するための形態】
【００１２】
以下に、本発明の一実施形態による通信装置について、ファクシミリ付き電話機を例にとって説明する。
【００１３】
＜通信装置の構成＞
図１に示すように、本実施形態の通信装置１００は、電話回線通信部１を備える。電話回線通信部１は、交換機を含む電話回線網ＰＬに通信装置１００を接続するためのインターフェースであり、通信回路やファクシミリモデムを含む。電話回線通信部１は、電話回線網ＰＬを介して、ファクシミリ通信の相手先や通話の相手先との間で通信を行う。電話回線網ＰＬには、他の通信装置（ファクシミリや電話機）である外部機器２００が接続される。通信装置１００によるファクシミリ通信や通話では、外部機器２００が相手先となる。電話回線通信部１は「通信部」に相当する。
【００１４】
また、通信装置１００は、操作パネル２を備える。操作パネル２は、ダイヤルキー（テンキー）や設定キー、表示パネルを含む。ダイヤルキーは、電話番号やファクシミリ番号などの入力をユーザーから受け付ける。設定キーは、種々の設定をユーザーから受け付ける。数値入力が必要な設定では、ダイヤルキーが使用される。表示パネルは、種々の情報を表示する。たとえば、ダイヤルキーを用いて入力した番号が表示パネルに表示される。また、表示パネルには、設定を受け付けるための設定画面が表示される。さらに、後述する履歴情報１０を表示パネルに表示させることもできる。操作パネル２は「受付部」に相当する。
【００１５】
また、通信装置１００は、受話器３を備える。受話器３は、マイクロフォンおよびスピーカー（レシーバー）を含む。マイクロフォンは、通話者（自機のユーザー）の音声を電気信号に変換する。スピーカーは、相手先の音声を出力する。
【００１６】
また、通信装置１００は、印刷部４を備える。印刷部４は、電話回線通信部１が相手先から受信したファクシミリデータに基づき画像を形成し、当該形成した画像を用紙に印刷して機外に出力する。言い換えると、印刷部２は、相手先からのファクシミリデータに基づき出力処理を行う。印刷部４は「出力部」に相当する。
【００１７】
また、通信装置１００は、ネットワーク通信部５を備える。ネットワーク通信部５は、ＬＡＮなどのネットワークＮＴに通信装置１００を接続するためのインターフェースである。たとえば、ネットワークＮＴには、通信装置１００のユーザーが使用するユーザー端末３００（パーソナルコンピューなど）が接続される。ネットワークＮＴにユーザー端末３００を接続することにより、相手先からのファクシミリデータをユーザー端末３００に転送（出力）する、といったことが行える。言い換えると、ネットワーク通信部５は、相手先からのファクシミリデータに基づき出力処理を行う。ネットワーク通信部５は「出力部」に相当する。
【００１８】
以下の説明では、印刷部４およびネットワーク通信部５を総じて出力部６と称する場合がある。
【００１９】
また、通信装置１００は、ファクシミリデータ記憶部７を備える。ファクシミリデータ記憶部７は、不揮発性メモリー（ＲＯＭ）を含む。ファクシミリデータ記憶部７は、相手先からのファクシミリデータを一時的に記憶する。通常では、ファクシミリ通信の着信があった場合には相手先からのファクシミリデータに基づく出力処理が行われる。しかし、ファクシミリ通信の着信があった時点で用紙切れなどが発生している場合には、出力処理が行われない（出力処理が完了しない）。この場合に、ファクシミリデータ記憶部７にファクシミリデータが記憶される。
【００２０】
また、通信装置１００は、制御部８および記憶部９を備える。制御部８は、ＣＰＵなどの処理回路を含む。制御部８は、制御用のプログラムおよびデータに基づき動作し、通信装置１００の各部の動作を制御するための処理を行う。記憶部９は、不揮発性メモリー（ＲＯＭ）および揮発性メモリー（ＲＡＭ）を含む。記憶部９は、制御用のプログラムおよびデータを記憶する。また、記憶部９には、電話回線網ＰＬからの着信に関する履歴を示す情報である履歴情報１０が保存される。
【００２１】
＜履歴情報＞
制御部８は、電話回線網ＰＬから着信があると、着信に関する履歴情報１０を記憶部９に保存する処理や、記憶部９に保存された既存の履歴情報１０を削除する処理を行う。なお、電話回線網ＰＬから着信があっても、着信に関する履歴情報１０が記憶部９に保存されない場合もある。詳細は後述する。
【００２２】
制御部８は、電話回線網ＰＬからの着信がファクシミリ通信の着信であれば、ファクシミリ通信の着信に関する履歴情報１０を記憶部９に保存し、電話回線網ＰＬからの着信が通話の着信であれば、通話の着信に関する履歴情報１０を記憶部９に保存する。以下の説明では、ファクシミリ通信の着信に関する履歴情報１０をファクシミリ履歴情報１０Ａと称し、通話の着信に関する履歴情報１０を通話履歴情報１０Ｂと称する場合がある。
【００２３】
なお、通信装置１００は、ポーリング機能を搭載する。したがって、通信装置１００に対してポーリング送信要求が送信される場合がある。制御部８は、ポーリング送信要求の着信があった場合、相手先にファクシミリデータを送信するポーリング送信を電話回線通信部１に行わせる。また、制御部８は、ポーリング送信要求の着信に関する履歴情報１０を記憶部９に保存する。以下の説明では、ポーリング送信要求の着信に関する履歴情報１０をポーリング履歴情報１０Ｃと称する場合がある。
【００２４】
制御部８は、着信日時を認識し、当該認識した着信日時を示す着信日時情報を履歴情報１０に含める。また、制御部８は、電話回線通信部１が交換機から受信した相手先（発呼側の外部機器２００）に関する情報である発呼側情報を認識する。なお、交換機からは、発呼側情報として相手先の電話番号またはファクシミリ番号が送信される。制御部８は、相手先番号である相手先の電話番号またはファクシミリ番号を示す番号情報を履歴情報１０に含める。
【００２５】
ファクシミリ履歴情報１０Ａには、着信日時および相手先番号が含められるが、それ以外の情報も含められる。以下に、ファクシミリ履歴情報１０Ａに含められる他の情報について説明する。
【００２６】
制御部８は、電話回線網ＰＬからファクシミリ通信の着信があると、相手先から電話回線通信部１が受信したファクシミリデータに基づく出力処理を出力部６に行わせる。そして、制御部８は、出力部６による出力処理が正常に完了したか否かを判断する。判断の結果、出力処理が完了した場合、制御部８は、出力処理が完了したことを示す出力済情報をファクシミリ履歴情報１０Ａに含める。一方で、出力処理が完了していない場合（たとえば、用紙切れが発生した場合）、制御部８は、出力処理が完了していないことを示す未出力情報をファクシミリ履歴情報１０Ａに含める。すなわち、ファクシミリ履歴情報１０Ａには、出力済情報および未出力情報の一方が含められる。通話履歴情報１０Ｂやポーリング履歴情報１０Ｃには、出力済情報および未出力情報は含められない。
【００２７】
また、制御部８は、電話回線網ＰＬからファクシミリ通信の着信があると、相手先から電話回線通信部１へ送信されるファクシミリデータの送信時に通信エラーが発生したか否かを判断する。判断の結果、通信エラーが発生した場合、制御部８は、通信エラーが発生したことを示すエラー情報をファクシミリ履歴情報１０Ａに含める。一方で、通信エラーが発生していない場合、制御部８は、エラー情報をファクシミリ履歴情報１０Ａに含めない。通話履歴情報１０Ｂやポーリング履歴情報１０Ｃには、エラー情報は含められない。
【００２８】
また、制御部８は、電話回線網ＰＬからファクシミリ通信の着信があると、相手先から電話回線通信部１が受信したファクシミリデータに基づく出力処理を出力部６に行わせ、出力部６が出力した出力データのページ数を認識する。そして、制御部８は、出力部６が出力した出力データのページ数を示すページ数情報をファクシミリ履歴情報１０Ａに含める。たとえば、ファクシミリデータに基づく印刷が印刷部４により行われる場合には、印刷枚数を示す情報がページ数情報としてファクシミリ履歴情報１０Ａに含められる。通話履歴情報１０Ｂやポーリング履歴情報１０Ｃには、ページ数情報は含められない。
【００２９】
また、制御部８は、電話回線網ＰＬからファクシミリ通信の着信があると、相手先から電話回線通信部１が受信したファクシミリデータに基づく出力処理を出力部６に行わせるが、そのとき、予め登録された登録キーワードがファクシミリデータ（画像データ）に存在するか否かを判断する。特に限定されないが、会社名や住所などを示すテキストがキーワードとして登録される。キーワードの登録の受け付けは操作パネル２が行う。登録キーワードは記憶部９に記憶される。なお、キーワードの登録数は特に限定されない。
【００３０】
たとえば、制御部８は、相手先からのファクシミリデータ（画像データ）を対象に文字認識処理を行うことによって、ファクシミリデータに登録キーワードが存在するか否かを判断する。そして、ファクシミリデータに登録キーワードが存在する場合、制御部８は、ファクシミリデータに存在する登録キーワードの内容を示すキーワード情報をファクシミリ履歴情報１０Ａに含める。一方で、ファクシミリデータに登録キーワードが存在しない場合、制御部８は、キーワード情報をファクシミリ履歴情報１０Ａに含めない。通話履歴情報１０Ｂやポーリング履歴情報１０Ｃには、キーワード情報は含められない。
【００３１】
＜履歴情報の管理＞
制御部８は、履歴情報１０の保存および削除を管理する履歴管理処理を行う。履歴管理処理は複数存在する。制御部８は、複数の履歴管理処理のいずれかを選択的に行う。制御部８に行わせる履歴管理処理の選択は操作パネル２がユーザーから受け付ける。なお、複数の履歴管理処理のうち、１つだけが選択されてもよいし、２以上が選択されてもよい。
【００３２】
複数の履歴管理処理のいずれかを制御部８に行わせるには、履歴情報１０の管理に関する設定である履歴管理設定をユーザーが行う必要がある。履歴管理設定は操作パネル２がユーザーから受け付ける。
【００３３】
＜優先保存設定および優先削除設定＞
履歴管理設定には、優先保存設定および優先削除設定がある。優先保存設定では、保存を優先する履歴情報１０の種類を設定することができる。優先保存設定を行うことによって、優先保存設定で設定した種類の履歴情報１０の保存を優先することができる。また、優先削除設定では、優先的に削除する履歴情報１０の種類を設定することができる。優先削除設定を行うことによって、優先削除設定で設定した種類の履歴情報１０を優先的に削除することができる。
【００３４】
（第１優先保存設定）
操作パネル２は、優先保存設定として、ファクシミリ履歴情報１０Ａおよび通話履歴情報１０Ｂのいずれの保存を優先するかの設定である第１優先保存設定を受け付ける。第１優先保存設定の設定内容は記憶部９に記憶される。第１優先保存設定を有効にするか無効にするかはユーザーが任意に設定することができる。第１優先保存設定が有効になっている場合において、履歴情報１０の保存数が予め定められた上限数に達している状態で新規の着信があると、制御部８によって第１優先保存処理（複数の履歴管理処理の１つ）が行われる。
【００３５】
なお、履歴情報１０の保存数の上限数は予め定められ、記憶部９に記憶される。また、上限数はユーザーが任意に変更することができる。
【００３６】
以下に、図２に示すフローチャートを参照し、制御部８により行われる第１優先保存処理の流れを説明する。図２に示すフローチャートは、新規の着信があったことを制御部８が検知したときにスタートする。なお、図２に示すフローチャートのスタート時点では、記憶部９に保存されている履歴情報１０の数が上限数に達しているとする。また、ファクシミリ履歴情報１０Ａおよび通話履歴情報１０Ｂのいずれの保存を優先するかの設定がなされている（第１優先保存設定が有効になっている）とする。
【００３７】
ステップＳ１において、制御部８は、ファクシミリ履歴情報１０Ａの保存を優先する旨の設定がなされているか否かを判断する。その結果、ファクシミリ履歴情報１０Ａの保存を優先する旨の設定がなされていると制御部８が判断した場合には、ステップＳ２に移行する。一方で、ファクシミリ履歴情報１０Ａの保存を優先する旨の設定がなされていないと制御部８が判断した場合には、ステップＳ３に移行する。ファクシミリ履歴情報１０Ａの保存を優先する旨の設定がなされていないということは、通話履歴情報１０Ｂの保存を優先する旨の設定がなされているということである。
【００３８】
ステップＳ２に移行した場合、制御部８は、記憶部９に記憶されている既存の通話履歴情報１０Ｂのいずれかを削除対象として認識する。すなわち、第１優先保存設定で設定された種類以外の履歴情報１０が削除対象として認識される。たとえば、既存の通話履歴情報１０Ｂのうち、着信日時情報で示される着信日時が最も古い通話履歴情報１０Ｂが削除対象とされる。
【００３９】
ステップＳ３に移行した場合、制御部８は、記憶部９に記憶されている既存のファクシミリ履歴情報１０Ａのいずれか（第１優先保存設定で設定された種類以外の履歴情報１０）を削除対象として認識する。このとき、ステップＳ２の処理と同様（ファクシミリ履歴情報１０Ａの保存を優先する旨の設定がなされている場合と同様）、既存のファクシミリ履歴情報１０Ａのうち、着信日時情報で示される着信日時が最も古いファクシミリ履歴情報１０Ａが削除対象とされる。
【００４０】
制御部８が削除対象を認識した後、ステップＳ４に移行する。ステップＳ４に移行すると、制御部８は、削除対象の履歴情報１０を削除する。ここで削除されるのは、第１優先保存設定で設定された種類以外の履歴情報１０である。すなわち、第１優先保存設定で設定された種類に対応する履歴情報１０の保存が優先される。そして、ステップＳ５において、制御部８は、新規の着信に関する履歴情報１０を記憶部９に保存する。
【００４１】
制御部８が第１優先保存処理を行う構成では、ファクシミリ履歴情報１０Ａが必要である場合にはファクシミリ履歴情報１０Ａの保存を優先する旨の設定を行い、通話履歴情報１０Ｂが必要である場合には通話履歴情報１０Ｂの保存を優先する旨の設定を行うことにより、必要な履歴情報１０が削除されるのを抑制することができる。また、優先的に残す履歴情報１０をファックス通信か通話かで選別したいユーザーの利便性が向上する。
【００４２】
（第２優先保存設定）
操作パネル２は、優先保存設定として、優先番号および優先番号の優先順位の設定である第２優先保存設定を受け付ける。第２優先保存設定の設定内容は記憶部９に記憶される。第２優先保存設定を有効にするか無効にするかはユーザーが任意に設定することができる。第２優先保存設定が有効になっている場合において、履歴情報１０の保存数が上限数に達している状態で新規の着信があると、制御部８によって第２優先保存処理（複数の履歴管理処理の１つ）が行われる。
【００４３】
以下に、図３に示すフローチャートを参照し、制御部８により行われる第２優先保存処理の流れを説明する。図３に示すフローチャートは、新規の着信があったことを制御部８が検知したときにスタートする。なお、図３に示すフローチャートのスタート時点では、記憶部９に保存されている履歴情報１０の数が上限数に達しているとする。また、優先番号および優先番号の優先順位が設定されている（第２優先保存設定が有効になっている）とする。
【００４４】
ステップＳ１１において、制御部８は、第２優先保存設定で設定された設定内容（優先番号および優先番号の優先順位）を認識する。そして、制御部８は、記憶部９に記憶されている履歴情報１０のそれぞれについて、番号情報に優先番号が含まれているか否かを認識し、番号情報に優先番号が含まれている場合には当該優先番号の優先順位を認識する番号・順位認識処理を行う。制御部８は、番号・順位認識処理を行うことにより、番号情報に優先番号が含まれていない履歴情報１０も認識する。
【００４５】
なお、履歴情報１０を記憶部９に保存する際に、履歴情報１０に対し、相手先番号に含まれる優先番号の優先順位を示す順位情報を付してもよい。この場合、相手先番号に優先番号が含まれていなければ、履歴情報１０には順位情報が付されない。
【００４６】
ステップＳ１２において、制御部８は、番号情報に優先番号を含まない履歴情報１０（第２優先保存設定で設定された種類以外の履歴情報１０）を削除対象と認識する。ここで、番号情報に優先番号を含まない履歴情報１０が存在しない場合、制御部８は、番号情報に優先番号を含む履歴情報１０のうち、優先順位が最も低い優先番号を番号情報に含む履歴情報１０を削除対象と認識する。たとえば、削除対象とすべき条件を満たす履歴情報１０が複数存在する場合には、当該複数存在する履歴情報１０のうち、着信日時情報で示される着信日時が最も古い履歴情報１０が削除対象となる。
【００４７】
ステップＳ１３において、制御部８は、削除対象の履歴情報１０を削除する。ここで削除されるのは、第２優先保存設定で設定された種類以外の履歴情報１０（番号情報に優先番号を含まない履歴情報１０）である。すなわち、第２優先保存設定で設定された種類に対応する履歴情報１０（番号情報に優先番号を含む履歴情報１０）の保存が優先される。そして、ステップＳ１４において、制御部８は、新規の着信に関する履歴情報１０を記憶部９に保存する。
【００４８】
制御部８が第２優先保存処理を行う構成では、優先番号を登録しておくことにより、当該登録した優先番号を含む履歴情報１０を優先的に残すことができる。したがって、優先的に残す履歴情報１０を相手先番号で選別したいユーザーの利便性が向上する。
【００４９】
（第３優先保存設定）
操作パネル２は、履歴保存設定として、未出力情報を含むファクシミリ履歴情報１０Ａの保存を優先するか否かの設定である第３優先保存設定を受け付ける。第３優先保存設定の設定内容は記憶部９に記憶される。第３優先保存設定を有効にするか無効にするかはユーザーが任意に設定することができる。第３優先保存設定が有効になっている場合において、履歴情報１０の保存数が上限数に達している状態で新規の着信があると、制御部８によって第３優先保存処理（複数の履歴管理処理の１つ）が行われる。
【００５０】
以下に、図４に示すフローチャートを参照し、制御部８により行われる第３優先保存処理の流れを説明する。図４に示すフローチャートは、新規の着信があったことを制御部８が検知したときにスタートする。なお、図４に示すフローチャートのスタート時点では、記憶部９に保存されている履歴情報１０の数が上限数に達しているとする。また、未出力情報を含むファクシミリ履歴情報１０Ａの保存を優先する旨の設定がなされている（第３優先保存設定が有効になっている）とする。
【００５１】
ステップＳ２１において、制御部８は、未出力情報を含まない履歴情報１０（第３優先保存設定で設定された種類以外の履歴情報１０）を削除対象と認識する。削除対象となり得る履歴情報１０は、出力済情報を含むファクシミリ履歴情報１０Ａ、通話履歴情報１０Ｂおよびポーリング履歴情報１０Ｃである。未出力情報を含まない履歴情報１０が複数存在する場合には、当該複数存在する履歴情報１０のうち、着信日時情報で示される着信日時が最も古い履歴情報１０が削除対象となる。
【００５２】
ステップＳ２２において、制御部８は、削除対象の履歴情報１０を削除する。ここで削除されるのは、第３優先保存設定で設定された種類以外の履歴情報１０（未出力情報を含まない履歴情報１０）である。すなわち、第３優先保存設定で設定された種類に対応する履歴情報１０（未出力情報を含むファクシミリ履歴情報１０Ａ）の保存が優先される。そして、ステップＳ２３において、制御部８は、新規の着信に関する履歴情報１０を記憶部９に保存する。
【００５３】
制御部８が第３優先保存処理を行う構成では、未出力情報を含むファクシミリ履歴情報１０Ａが削除されるのを抑制することができる。これにより、相手先から受信したファクシミリデータが未出力である場合の履歴を残したいユーザーにとっては利便性が良い。
【００５４】
（第４優先保存設定）
操作パネル２は、優先保存設定として、エラー情報を含むファクシミリ履歴情報１０Ａの保存を優先するか否かの設定である第４優先保存設定を受け付ける。第４優先保存設定の設定内容は記憶部９に記憶される。第４優先保存設定を有効にするか無効にするかはユーザーが任意に設定することができる。第４優先保存設定が有効になっている場合において、履歴情報１０の保存数が上限数に達している状態で新規の着信があると、制御部８によって第４優先保存処理（複数の履歴管理処理の１つ）が行われる。
【００５５】
以下に、図５に示すフローチャートを参照し、制御部８により行われる第４優先保存処理の流れを説明する。図５に示すフローチャートは、新規の着信があったことを制御部８が検知したときにスタートする。なお、図５に示すフローチャートのスタート時点では、記憶部９に保存されている履歴情報１０の数が上限数に達しているとする。また、エラー情報を含むファクシミリ履歴情報１０Ａの保存を優先する旨の設定がなされている（第４優先保存設定が有効になっている）とする。
【００５６】
ステップＳ３１において、制御部８は、エラー情報を含まない履歴情報１０（第４優先保存設定で設定された種類以外の履歴情報１０）を削除対象と認識する。削除対象となり得る履歴情報１０は、エラー情報を含まないファクシミリ履歴情報１０Ａ、通話履歴情報１０Ｂおよびポーリング履歴情報１０Ｃである。エラー情報を含まない履歴情報１０が複数存在する場合には、当該複数存在する履歴情報１０のうち、着信日時情報で示される着信日時が最も古い履歴情報１０が削除対象となる。
【００５７】
ステップＳ３２において、制御部８は、削除対象の履歴情報１０を削除する。ここで削除されるのは、第４優先保存設定で設定された種類以外の履歴情報１０（エラー情報を含まない履歴情報１０）である。すなわち、第４優先保存設定で設定された種類に対応する履歴情報１０（エラー情報を含むファクシミリ履歴情報１０Ａ）の保存が優先される。そして、ステップＳ３３において、制御部８は、新規の着信に関する履歴情報１０を記憶部９に保存する。
【００５８】
制御部８が第４優先保存処理を行う構成では、エラー情報を含むファクシミリ履歴情報１０Ａが削除されるのを抑制することができる。これにより、相手先からのファクシミリデータを正常に受信することができなかった場合の履歴を残したいユーザーにとっては利便性が良い。
【００５９】
（第５優先保存設定）
操作パネル２は、履歴保存設定として、ポーリング履歴情報１０Ｃおよびポーリング履歴情報１０Ｃ以外の履歴情報１０のいずれの保存を優先するかの否かの設定である第５優先保存設定を受け付ける。第５優先保存設定の設定内容は記憶部９に記憶される。第５優先保存設定を有効にするか無効にするかはユーザーが任意に設定することができる。第５優先保存設定が有効になっている場合において、履歴情報１０の保存数が上限数に達している状態で新規の着信があると、制御部８によって第５優先保存処理（複数の履歴管理処理の１つ）が行われる。
【００６０】
以下に、図６に示すフローチャートを参照し、制御部８により行われる第５優先保存処理の流れを説明する。図６に示すフローチャートは、新規の着信があったことを制御部８が検知したときにスタートする。なお、図６に示すフローチャートのスタート時点では、記憶部９に保存されている履歴情報１０の数が上限数に達しているとする。また、ポーリング履歴情報１０Ｃおよびポーリング履歴情報１０Ｃ以外の履歴情報１０のいずれかの保存を優先する旨の設定がなされている（第５優先保存設定が有効になっている）とする。
【００６１】
ステップＳ４１において、制御部８は、ポーリング履歴情報１０Ｃの保存を優先する旨の設定がなされているか否かを判断する。その結果、ポーリング履歴情報１０Ｃの保存を優先する旨の設定がなされていると制御部８が判断した場合には、ステップＳ４２に移行する。一方で、ポーリング履歴情報１０Ｃの保存を優先する旨の設定がなされていないと制御部８が判断した場合には、ステップＳ４３に移行する。ポーリング履歴情報１０Ｃの保存を優先する旨の設定がなされていないということは、ポーリング履歴情報１０Ｃ以外の履歴情報１０の保存を優先する旨の設定がなされているということである。
【００６２】
ステップＳ４２に移行した場合、制御部８は、記憶部９に記憶されている既存の履歴情報１０のうち、ポーリング履歴情報１０Ｃ以外の履歴情報１０のいずれかを削除対象として認識する。すなわち、第５優先保存設定で設定された種類以外の履歴情報１０が削除対象として認識される。たとえば、ポーリング履歴情報１０Ｃ以外の履歴情報１０のうち、着信日時情報で示される着信日時が最も古い履歴情報１０が削除対象とされる。
【００６３】
ステップＳ４３に移行した場合、制御部８は、記憶部９に記憶されている既存のポーリング履歴情報１０Ｃのいずれか（第５優先保存設定で設定された種類以外の履歴情報１０）を削除対象として認識する。このとき、ステップＳ４２の処理と同様（ポーリング履歴情報１０Ｃの保存を優先する旨の設定がなされている場合と同様）、既存のポーリング履歴情報１０Ｃのうち、着信日時情報で示される着信日時が最も古いポーリング履歴情報１０Ｃが削除対象とされる。
【００６４】
制御部８が削除対象を認識した後、ステップＳ４４に移行する。ステップＳ４４に移行すると、制御部８は、削除対象の履歴情報１０を削除する。ここで削除されるのは、第５優先保存設定で設定された種類以外の履歴情報１０である。すなわち、第５優先保存設定で設定された種類に対応する履歴情報１０の保存が優先される。そして、ステップＳ４５において、制御部８は、新規の着信に関する履歴情報１０を記憶部９に保存する。
【００６５】
制御部８が第５優先保存処理を行う構成では、ポーリング履歴情報１０Ｃが必要である場合、ポーリング履歴情報１０Ｃが削除されるのを抑制することができる。
【００６６】
（第６優先保存処理）
操作パネル２は、予めページ数の登録を受け付ける。操作パネル２が受け付けた登録ページ数は記憶部９に記憶される。
【００６７】
そして、操作パネル２は、優先保存設定として、ページ数情報で示されるページ数が登録ページ数を超えるファクシミリ履歴情報１０Ａであるページ数超過履歴情報１０Ａの保存を優先するか否かの設定である第６優先保存設定を受け付ける。第６優先保存設定を有効にするか無効にするかはユーザーが任意に設定することができる。第６優先保存設定が有効になっている場合において、履歴情報１０の保存数が上限数に達している状態で新規の着信があると、制御部８によって第６優先保存処理（複数の履歴管理処理の１つ）が行われる。
【００６８】
以下に、図７に示すフローチャートを参照し、制御部８により行われる第６優先保存理の流れを説明する。図７に示すフローチャートは、新規の着信があったことを制御部８が検知したときにスタートする。なお、図７に示すフローチャートのスタート時点では、記憶部９に保存されている履歴情報１０の数が上限数に達しているとする。また、ページ数超過履歴情報１０Ａの保存を優先する旨の設定されている（第６優先保存設定が有効になっている）とする。
【００６９】
ステップＳ５１において、制御部８は、ページ数超過履歴情報１０Ａ以外の履歴情報１０（第６優先保存設定で設定された種類以外の履歴情報１０）を削除対象と認識する。削除対象となり得る履歴情報１０は、ページ数情報で示されるページ数が登録ページ数以下のファクシミリ履歴情報１０Ａ、通話履歴情報１０Ｂおよびポーリング履歴情報１０Ｃである。ページ数超過履歴情報１０Ａ以外の履歴情報１０が複数存在する場合には、当該複数存在する履歴情報１０のうち、着信日時情報で示される着信日時が最も古い履歴情報１０が削除対象となる。
【００７０】
ステップＳ５２において、制御部８は、削除対象の履歴情報１０を削除する。ここで削除されるのは、第６優先保存設定で設定された種類以外の履歴情報１０（ページ数超過履歴情報１０Ａ以外の履歴情報１０）である。すなわち、第６優先保存設定で設定された種類に対応する履歴情報１０（ページ数超過履歴情報１０Ａ）の保存が優先される。そして、ステップＳ５３において、制御部８は、新規の着信に関する履歴情報１０を記憶部９に保存する。
【００７１】
制御部８が第６優先保存処理を行う構成では、ページ数を登録しておくことにより、出力処理で出力されたページ数が登録ページ数を超過した場合の履歴を優先的に残すことができる。したがって、優先的に残す履歴情報１０を出力ページ数で選別したいユーザーの利便性が向上する。
【００７２】
（優先削除設定）
操作パネル２は、優先削除設定として、電話回線通信部１が新規に受信したファクシミリデータに存在する登録キーワードと内容が同じキーワード情報を含む既存のファクシミリ履歴情報１０Ａであるキーワード重複履歴情報１０Ａの削除を優先するか否かの設定を受け付ける。優先削除設定の設定内容は記憶部９に記憶される。優先削除設定を有効にするか無効にするかはユーザーが任意に設定することができる。優先削除設定が有効になっている場合において、履歴情報１０の保存数が上限数に達している状態で新規の着信があると、制御部８により優先削除処理（複数の履歴管理処理の１つ）が行われる。
【００７３】
以下に、図８に示すフローチャートを参照し、制御部８により行われる優先削除処理の流れを説明する。図８に示すフローチャートは、新規の着信があり、かつ、新規の着信がファクシミリ通信の着信であったことを制御部８が検知したときにスタートする。言い換えると、相手先から電話回線通信部１が新規のファクシミリデータを受信したことを制御部８が検知したときに、図８に示すフローチャートがスタートする。なお、図８に示すフローチャートのスタート時点では、記憶部９に保存されている履歴情報１０の数が上限数に達しているとする。また、キーワード重複履歴情報１０Ａの削除を優先する旨の設定がなされている（優先削除設定が有効になっている）とする。
【００７４】
ステップＳ６１において、制御部８は、新規のファクシミリデータに登録キーワードが存在するか否かを判断する。その結果、登録キーワードが存在すると制御部８が判断した場合には、ステップＳ６２に移行する。
【００７５】
ステップＳ６２に移行すると、制御部８は、新規のファクシミリデータに存在する登録キーワードと内容が同じキーワード情報を含むファクシミリ履歴情報１０Ａが存在するか否か（記憶部９に保存されているか否か）を判断する。すなわち、ここでは、キーワード重複履歴情報１０Ａが存在するか否かの判断が行われる。その結果、キーワード重複履歴情報１０Ａが存在すると制御部８が判断した場合には、ステップＳ６３に移行する。
【００７６】
ステップＳ６３に移行すると、制御部８は、キーワード重複履歴情報１０Ａを削除対象と認識する。キーワード重複履歴情報１０Ａが複数存在する場合には、当該複数存在するキーワード重複履歴情報１０Ａのうち、着信日時情報で示される着信日時が最も古いキーワード重複履歴情報１０Ａが削除対象となる。
【００７７】
ステップＳ６１において、新規のファクシミリデータに登録キーワードが存在しないと制御部８が判断した場合には、ステップＳ６４に移行する。また、ステップＳ６２において、キーワード重複履歴情報１０Ａが存在しないと制御部８が判断した場合にも、ステップＳ６４に移行する。ステップＳ６４に移行すると、制御部８は、既存の履歴情報１０のいずれかを削除対象と認識する。たとえば、着信日時情報で示される着信日時が最も古い履歴情報１０が削除対象となる。
【００７８】
制御部８が削除対象を認識した後、ステップＳ６５に移行する。ステップＳ６５に移行すると、制御部８は、削除対象の履歴情報を削除する。そして、ステップＳ６６において、制御部８は、新規の着信に関する履歴情報１０を記憶部９に保存する。
【００７９】
制御部８が優先削除処理を行う構成では、キーワードを登録しておくことにより、たとえば、同じ相手先（たとえば、同じ会社など）から繰り返し着信があっても、当該相手先からの着信に関する履歴情報１０が何個も保存されるのを抑制することができる。
【００８０】
（削除対象の選択）
たとえば、第１〜第６優先保存処理および優先削除処理のうち、２つ以上の処理を制御部８が行うよう設定されていたとする。このように設定されていると、或る処理で削除対象とされる履歴情報１０と別の処理で削除対象とされる履歴情報１０とが異なる場合がある。この場合、或る処理で削除対象とされた履歴情報１０と別の処理で削除対象とされた履歴情報１０とが共に削除されてもよい。すなわち、２つ以上の履歴情報１０が削除されてもよい。
【００８１】
あるいは、第１〜第６優先保存処理および優先削除処理のそれぞれに優先順位が設定されてもよい。当該優先順位の設定は操作パネル２が受け付ける。この場合には、優先順位が最も高い処理によって削除対象とされた履歴情報１０が選択され、当該履歴情報１０が削除される。
【００８２】
＜非保存設定＞
履歴管理設定には、非保存設定がある。非保存設定では、履歴情報１０として保存しない履歴（着信に関する履歴）である非保存履歴に関する設定を行うことができる。非保存設定の受け付けは操作パネル２が行う。非保存設定の設定内容は記憶部９に記憶される。
【００８３】
制御部８は、非保存設定がなされた場合に、電話回線網ＰＬから新規の着信があると、非保存設定で設定された設定内容に基づき、新規の着信に関する履歴を示す情報を保存すべきか否かを判断する。言い換えると、制御部８は、保存条件が満たされているか否かを判断する。その結果、保存すべきと判断した場合（保存条件が満たされている場合）、制御部８は、新規の着信に関する履歴を示す情報を保存する（新規の着信に関する履歴情報１０が記憶部９に保存される）。このとき、履歴情報１０の保存数が上限数に達していれば、既存の履歴情報１０のいずれかが削除される。たとえば、着信日時情報で示される着信日時が最も古い履歴情報１０が削除される。
【００８４】
一方で、保存すべきでないと判断した場合（保存条件が満たされていない場合）、制御部８は、新規の着信に関する履歴を示す情報を保存しない。ただし、履歴情報１０の保存数が上限数に達していなければ、新規の着信に関する履歴を示す情報を保存してもよい。あるいは、保存条件が満たされていなければ、履歴情報１０の保存数が上限数に達しているか否かにかかわらず、新規の着信に関する履歴を示す情報が保存されないようにしてもよい。
【００８５】
非保存設定を有効にするか無効にするかはユーザーが任意に設定することができる。たとえば、優先保存設定（優先削除設定）および非保存設定の両方を有効にすることもできる。
【００８６】
ここで、優先保存設定（優先削除設定）が有効になっている場合に、履歴情報１０の保存数が上限数に達している状態で新規の着信があると、記憶部９に保存されている既存の履歴情報１０が削除され、新規の着信に関する履歴情報１０が記憶部９に保存される。しかし、この例において、保存条件が満たされていなければ、新規の着信に関する履歴を示す情報は保存されない。
【００８７】
（第１非保存設定）
操作パネル２は、ファクシミリ通信の着信に関する履歴および通話の着信に関する履歴のうち非保存履歴とする履歴の設定を第１非保存設定（非保存設定の１つ）として受け付ける。ファクシミリ通信の着信に関する履歴を非保存履歴とする旨の設定がなされている場合、制御部８は、ファクシミリ通信の着信に関する履歴を示す情報を保存しない。一方で、通話の着信に関する履歴を非保存履歴とする旨の設定がなされている場合、制御部８は、通話の着信に関する履歴を示す情報を保存しない。なお、第１非保存設定を受け付けるとき、ファクシミリ通信および通話に加え、ポーリング送信要求も選択肢として提示してもよい。
【００８８】
この構成では、ファクシミリ通信の着信に関する履歴が不要である場合にはファクシミリ通信の着信に関する履歴を非保存履歴とする旨の設定を行い、通話の着信に関する履歴が不要である場合には通話の着信に関する履歴を非保存履歴とする旨の設定を行うことにより、不要な履歴が保存されるのを抑制することができる。
【００８９】
（第２非保存設定）
操作パネル２は、予め拒否番号の登録を受け付ける。操作パネル２が受け付けた拒否番号は記憶部９に記憶される。
【００９０】
そして、操作パネル２は、第２非保存設定（非保存設定の１つ）として、相手先番号に拒否番号を含む着信に関する履歴を非保存履歴とするか否かの設定を受け付ける。制御部８は、相手先番号に拒否番号を含む着信に関する履歴を非保存履歴とする旨の設定がなされている場合、相手先番号に拒否番号を含む着信に関する履歴を示す情報を保存しない。
【００９１】
この構成では、拒否番号を登録しておくことにより、相手先番号に拒否番号を含む着信に関する履歴が保存されるのを抑制することができる。
【００９２】
（第３非保存設定）
操作パネル２は、第３非保存設定（非保存設定の１つ）として、出力部６による出力処理が完了したファクシミリ通信の着信に関する履歴を非保存履歴とするか否かの設定を受け付ける。制御部８は、出力部６による出力処理が完了したファクシミリ通信の着信に関する履歴を非保存履歴とする旨の設定がなされている場合、出力部６による出力処理が完了したファクシミリ通信の着信に関する履歴を示す情報を保存しない。
【００９３】
この構成では、出力部６による出力処理が完了したファクシミリ通信の着信に関する履歴を残したくないユーザーの利便性が向上する。
【００９４】
（第４非保存設定）
操作パネル２は、第４非保存設定（非保存設定の１つ）として、相手先から送信されるファクシミリデータの送信時に通信エラーが発生しなかったファクシミリ通信の着信に関する履歴を非保存履歴とするか否かの設定を受け付ける。制御部８は、相手先から送信されるファクシミリデータの送信時に通信エラーが発生しなかったファクシミリ通信の着信に関する履歴を非保存履歴とする旨の設定がなされている場合、相手先から送信されるファクシミリデータの送信時に通信エラーが発生しなかったファクシミリ通信の着信に関する履歴を示す情報を保存しない。
【００９５】
この構成では、相手先から送信されるファクシミリデータの送信時に通信エラーが発生しなかったファクシミリ通信の着信に関する履歴を残したくないユーザーの利便性が向上する。
【００９６】
（第５非保存設定）
操作パネル２は、予めページ数の登録を受け付ける。操作パネル２が受け付けた登録ページ数は記憶部９に記憶される。
【００９７】
そして、操作パネル２は、第５非保存設定（非保存設定の１つ）として、出力部６による出力処理での出力ページ数が登録ページ数以下のファクシミリ通信の着信に関する履歴を非保存履歴とするか否かの設定を受け付ける。制御部８は、出力部６による出力処理での出力ページ数が登録ページ数以下のファクシミリ通信の着信に関する履歴を非保存履歴とする旨の設定がなされている場合、出力部６による出力処理での出力ページ数が登録ページ数以下のファクシミリ通信の着信に関する履歴を示す情報を保存しない。
【００９８】
この構成では、出力部６による出力処理での出力ページ数が登録ページ数以下のファクシミリ通信の着信に関する履歴を残したくないユーザーの利便性が向上する。
【００９９】
（第６非保存設定）
操作パネル２は、予めキーワードの登録を受け付ける。操作パネル２が受け付けた登録キーワードは記憶部９に記憶される。
【０１００】
なお、制御部８は、ファクシミリ通信の着信があり、かつ、相手先からのファクシミリデータに登録キーワードが存在するとき、相手先からのファクシミリデータに存在する登録キーワードと内容が同じキーワード情報を含むファクシミリ履歴情報１０Ａ（キーワード重複履歴情報１０Ａ）が記憶部９に保存されていれば、キーワード重複履歴情報１０Ａに含まれるキーワード情報と同じ内容の登録キーワードが存在するファクシミリデータをキーワード重複ファクシミリデータと認識する。
【０１０１】
操作パネル２は、第６非保存設定（非保存設定の１つ）として、キーワード重複ファクシミリデータを送信した相手先からのファクシミリ通信の着信に関する履歴を非保存履歴とするか否かの設定を受け付ける。制御部８は、キーワード重複ファクシミリデータを送信した相手先からのファクシミリ通信の着信に関する履歴を非保存履歴とする旨の設定がなされている場合、キーワード重複ファクシミリデータを送信した相手先からのファクシミリ通信の着信に関する履歴を示す情報を保存しない。
【０１０２】
この構成では、キーワード重複ファクシミリデータを送信した相手先からのファクシミリ通信の着信に関する履歴を残したくないユーザーの利便性が向上する。
【０１０３】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【０１０４】
１  電話回線通信部（通信部）
２  操作パネル（受付部）
６  出力部
８  制御部
９  記憶部
１０  履歴情報
１０Ａ  ファクシミリ履歴情報
１０Ｂ  通話履歴情報
１０Ｃ  ポーリング履歴情報
１００  通信装置
【図１】
2019029924.tif 000003
【図２】
2019029924.tif 000004
【図３】
2019029924.tif 000005
【図４】
2019029924.tif 000006
【図５】
2019029924.tif 000007
【図６】
2019029924.tif 000008
【図７】
2019029924.tif 000009
【図８】
2019029924.tif 000010